(57)【要約】  本発明は、視力矯正手術によって切除されたレンチキュールの除去のために角膜に形成される補強部を有した切開部の構造に関するもので、本発明は、レーザービームが焦点位置を立体的に変位させながら角膜の中心側に、または中心から外側に稠密な螺旋を描きながら連続された螺旋形の切開ラインを有するフラップ面とレンチキュール面を角膜実質の内部で離隔させて形成し、前記レンチキュール面の外周を前記フラップ面の外周より内側で交差させて角膜実質からレンチキュールが立体形態に切除されるようにし、切除されたレンチキュールを前記角膜に形成される切開部を通じて外部に排出させて屈折異常を矯正する視力矯正手術において、前記切開部は、前記フラップ面の外周と近接する角膜表面に前記レーザービームを通じて切開される切開入口、及び前記切開入口から前記角膜実質に向いて延長され、先端部が前記フラップ面に連結される切開トンネルを含み、前記フラップ面のいずれか一側の前記切開ラインの線上に切開トンネルの先端部が連結され、前記切開ラインの線上で切開トンネルの長手方向と対向した外面には、前記レーザービームが照射されない領域である補強部が対称をなして形成されることを特徴とする。【選択図】図１ａ
2018537206.tif 000002
【特許請求の範囲】
【請求項１】
レーザービームの焦点位置を立体的に変位させながら角膜の中心側に、または中心から外側に稠密な螺旋を描きながら連続された螺旋形の切開ラインを有するフラップ面とレンチキュール面を角膜実質の内部で離隔させて形成し、前記レンチキュール面の外周を前記フラップ面の外周より内側で交差させて角膜実質からレンチキュールが立体形態に切除されるようにし、切除されたレンチキュールを角膜に形成される切開部を通じて外部に排出させて屈折異常を矯正する視力矯正手術において、
前記切開部は、前記フラップ面の外周と近接する角膜表面に前記レーザービームを通じて切開される切開入口、及び、
前記切開入口から前記角膜実質に向いて延長され、先端部が前記フラップ面に連結される切開トンネルを含み、
前記フラップ面の切開ラインの線上に前記切開トンネルの先端部が位置して連結され、前記切開ラインの線上で前記切開トンネルの先端部の両側に前記レーザービームが照射されない領域である補強部が形成されることを特徴とする、視力矯正手術によって切除されたレンチキュールの除去のために角膜に形成される補強部を有した切開部の構造。
【請求項２】
前記切開入口と前記切開トンネルの横方向の切開長さは、０．５ｍｍ〜２ｍｍ以下に形成されることを特徴とする、請求項１に記載の視力矯正手術によって切除されたレンチキュールの除去のために角膜に形成される補強部を有した切開部の構造。
【請求項３】
前記補強部の突出部の間の長さは、前記切開トンネルの先端部の長さと同一であるかまたはそれより長く構成されることを特徴とする、請求項２に記載の視力矯正手術によって切除されたレンチキュールの除去のために角膜に形成される補強部を有した切開部の構造。
【請求項４】
前記切開トンネルの先端部は、前記フラップ面の外周に位置した切開ラインと連結されることを特徴とする、請求項１に記載の視力矯正手術によって切除されたレンチキュールの除去のために角膜に形成される補強部を有した切開部の構造。
【請求項５】
前記切開トンネルの先端部は、前記フラップ面の外周から中心に向いて内側に位置する切開ラインと連結されることを特徴とする、請求項１に記載の視力矯正手術によって切除されたレンチキュールの除去のために角膜に形成される補強部を有した切開部の構造。
【請求項６】
前記切開入口は、前記フラップ面の外周で垂直線上と接する前記角膜表面に形成されることを特徴とする、請求項４または請求項５に記載の視力矯正手術によって切除されたレンチキュールの除去のために角膜に形成される補強部を有した切開部の構造置。
【請求項７】
前記切開入口は、前記フラップ面の外周で鋭角または鈍角線上と接する前記角膜表面に形成されることを特徴とする、請求項４または請求項５に記載の視力矯正手術によって切除されたレンチキュールの除去のために角膜に形成される補強部を有した切開部の構造。
【請求項８】
前記補強部は、半円形または半楕円形で構成されることを特徴とする、請求項４に記載の視力矯正手術によって切除されたレンチキュールの除去のために角膜に形成される補強部を有した切開部の構造。
【請求項９】
前記補強部は、円形または楕円形で構成されることを特徴とする、請求項５に記載の視力矯正手術によって切除されたレンチキュールの除去のために角膜に形成される補強部を有した切開部の構造。
【請求項１０】
前記補強部には、前記先端部に向いて一部が突出される突出部が形成されることを特徴とする、請求項８または請求項９に記載の視力矯正手術によって切除されたレンチキュールの除去のために角膜に形成される補強部を有した切開部の構造。
【請求項１１】
前記切開部は、前記フラップ面の外周と近接する前記角膜表面で前記フラップ面の中心部を基準として両側に複数に形成されることを特徴とする、請求項１に記載の視力矯正手術によって切除されたレンチキュールの除去のために角膜に形成される補強部を有した切開部の構造。
【発明の詳細な説明】
【技術分野】
【０００１】
本発明は、角膜表面を透過して角膜実質から矯正量ほどの角膜実質片であるレンチキュールを切除して分離する視力矯正手術を行うにおいて、分離されたレンチキュールを除去するために角膜に形成される切開部を最小化した、視力矯正手術によって切除されたレンチキュールの除去のために角膜に形成される補強部を有した切開部の構造に関する。
【背景技術】
【０００２】
まず、以下の背景となる技術は、本発明の理解を助けるためのものであり、このような背景となる技術において言及された内容が先行技術として断定される必要はない。
【０００３】
一般に、角膜（ｃｏｒｎｅａ）は、眼球の最も外側の表面に位置し、目で一番先に光が通過する部分として透明であり、光を屈折させて網膜上にイメージを作る目の前方組織であって、網膜は、その上に形成されたイメージから光を感知し、イメージからの信号を脳に伝達する目の後方組職である。
【０００４】
角膜の表面は、涙により湿潤状態が維持され、涙は、光を一定に通過させて屈折させる役目をする。それによって、正常ヒトの場合、１．０以上の矯正視力を維持することができる。
【０００５】
角膜表面は、皮膚と同様に上皮になっているため少しは荒いが細胞が均一に配列されており、５〜６個の層からなっている。表層から角膜上皮、ボーマン膜、角膜実質、角膜内皮の順になっている。
【０００６】
角膜上皮（ｅｐｉｔｈｅｌｉｕｍ）は、５〜６層で形成され、結膜の上皮と連結されており、基底細胞層からはますます偏平になりつつ表層に押され、７日後には脱落する。損傷時に再生がはやい特徴を有する。 
【０００７】
ボーマン膜（Ｂｏｗｍａｎ'ｓ  ｍｅｍｂｒａｎｅ）は、細胞のない無色透明なコラーゲン纎維で構成された膜として、角膜実質の変形された一部で見なされる。一旦破壊されると再生されず瘢痕で残る。
【０００８】
角膜実質（ｓｔｒｏｍａ）は、角膜厚さの約９０％を占める結締組織として、約２００層のタイプＩコラーゲン纎維で構成されており、そのサイズと走行方向が一定して透明である。
【０００９】
デスメ膜（Ｄｅｓｃｅｍｅｔ'ｓ  ｍｅｍｂｒａｎｅ）は、内皮の基底膜と推定される膜として、３〜４層の細胞で形成されている。
【００１０】
角膜内皮（ｅｎｄｏｔｈｅｌｉｕｍ）は、単層の偏平な６角形の細胞で形成されており、角膜の脱水状態を維持するにおいて重要な作用をする。上皮とは異なり損傷されると再生しない。
【００１１】
一方、眼球の不完全な視力を矯正する方法として、眼球の角膜厚さを変更して不完全な視力を矯正する視力矯正手術があり、代表的に行われる視力矯正手術としては、レーシック（ＬＡＳＩＫ）、ラセック（ＬＡＳＥＫ）、スマイル（ＳＭＩＬＥ）がある。
【００１２】
まず、レーシック（ｌａｓｅｒ  ｉｎ−ｓｉｔｕ  ｋｅｒａｔｏｍｉｌｅｕｓｉｓ）手術は、角膜切片を作った後、角膜実質にレーザーを照射して角膜を切除することで視力を矯正する手術である。既存の方式であるレーザー屈折矯正角膜切除術（ＰＲＫ、ｐｈｏｔｏｒｅｆｒａｃｔｉｖｅ  ｋｅｒａｔｅｃｔｏｍｙ、一般にエキシマレーザー手術と呼ぶ）は、手術後に強い痛症及び切除部位の混濁を誘発し、視力回復期間が６ヶ月程度に長い短所がある一方、レーシック手術は、このような短所を補完するために微細角膜切開刀またはレーザーを用いて上皮及びボーマン膜を含む角膜の前部分を分離してフラップを作って折り返した後、手術前検事を通じて決定した目標ほど角膜実質にレーザーを照射して角膜を切除した後、角膜切片を再び覆うことで、痛症及び角膜混濁を減らし、視力回復期間を短縮させることができる視力矯正手術である。 
【００１３】
また、ラセック（ｌａｓｅｒ  ａｓｓｉｓｔｅｄ  ｓｕｂ−ｅｐｉｔｈｅｌｉａｌ  ｋｅｒａｔｏｍｉｌｅｕｓｉｓ）手術は、希釈されたアルコールを使用して角膜上皮のフラップを作るか角膜上皮のみを剥離する角膜上皮切開刀で上皮フラップを作った後、角膜実質にレーザーを照射して角膜を切除して視力を矯正する手術である。エキシマレーザーを用いた屈折矯正角膜切除術の短所を補完するために開発されたレーシック手術は、痛症及び角膜混濁を減らし、視力回復期間を短縮させる長所があったが、角膜切片と関連して手術過程及び手術後にも視力に深刻な障害を誘発する合併症が発生でき、角膜切除後に残った基質の厚さが不足である場合、角膜拡張症が発生して深刻な視力障害を誘発する問題点が提起されて、角膜表層基質を切除する手術が再注目され始めた。この過程で、１９９９年イタリアの眼科医者のアッシモキャメリン（Ｍａｓｓｉｍｏ  Ｃａｍｅｌｌｉｎ）により開発された。
【００１４】
ラセック手術は、レーシック手術に比べて角膜切片に起因する合併症、すなわち、角膜片のしわ、上皮迷入、不規則切片などがなく、物理的衝撃に強いという長所がある。また、手術後、レーシック手術に比べてドライアイが少なく、回復がはやいと知られている。
【００１５】
最後に、スマイル（ＳＭａｌｌ  Ｉｎｃｉｓｉｏｎ  Ｌｅｎｔｉｃｕｌｅ  Ｅｘｔｒａｃｔｉｏｎ）手術は、レーザーを照射して角膜表面の内側の角膜実質の一部を切除して屈折異常を矯正する手術として、レーシックとラセックとは異なり角膜フラップを作らず、精巧なＶｉｓｕＭａｘ（ビジュマックス）フェムトセカンドレーザーを用いて角膜内部に矯正が必要な実質部位を角膜の矯正量ほどレンズ状に正確に切開した後、角膜に形成される切開部を通じて切除された角膜実質片を除去する。したがって、周辺組職の損傷が少なくて正確性に優れ、且つ近眼退行や充血、ドライアイのような副作用の危険を画期的に減らすことができる長所を有する。
【００１６】
このような形態の手術は、多様なレーザーの種類や製造会社による名称変更に関係なく同じ類型の手術方法と見なす。
【００１７】
スマイル手術の過程を簡略に説明すると、フェムトセカンドレーザーから照射されるレーザービームが角膜の表面を透過して内側の角膜実質に照射されると、角膜実質から矯正量サイズのレンズ状で角膜実質片であるレンチキュールが切除され、以後、レーザービームを用いて角膜に切開部を形成した後、その切開部を通じて切除されたレンチキュールを除去する手術である。
【００１８】
ここで、切開部は、角膜の表面に形成される切開入口と、その切開入口からレンチキュールに向いて延長形成される切開からなり、レンチキュールは、このような切開トンネルと切開入口を通じて角膜の外部に排出し除去される。
【００１９】
一方、レーザービームを通じて角膜実質からレンチキュールを切除するにおいて、レーザービームは、円形のスポット形状を有することによってスポットとスポットとの間の切除されない領域であるティッシュブリッジ（Ｔｉｓｓｕｅ  Ｂｒｉｄｇｅ）が形成される。
【００２０】
したがって、レーザービームにより角膜実質からレンチキュールが立体形状で切除されてもレンチキュールの上側分離面であるフラップ面とレンチキュールの下側分離面であるレンチキュール面は、角膜実質から完全に分離されずティッシュブリッジの領域がそのまま付いている状態になって、長い針とのような分離道具を切開入口と切開トンネルを経てフラップ面とレンチキュール面を全体的に通過するようにして角膜実質からレンチキュールを完全に分離した後、ピンセットのような取る道具を切開入口と切開トンネルに入れて分離されたレンチキュールを取った後切開入口の外部に抜き出して除去するようになる。
【００２１】
しかし、従来の場合、切開入口と共に切開トンネルの横方向の長さは、略２ｍｍ〜４ｍｍで切開され、分離道具を切開入口と切開トンネルを用いて角膜の中心側へ挿入した後、レンチキュール面とフラップ面に沿って両方向回転させながらティッシュブリッジにより連結されている角膜実質とレンチキュールを互いに分離する過程で、切開入口はもちろん切開トンネルの左右両側面が分離道具と接触しながら外力を受けるようになる。
【００２２】
この時、切開入口とともに切開トンネルの横方向の長さを略２ｍｍに形成する場合、このような切開入口と切開トンネル内部の長手方向の両側面が分離道具の動きによる外力によって容易に破れることによって、既存には、切開入口と切開トンネル内部の長手方向の両側面が容易に破れないように切開入口と共に切開トンネルの横方向の長さを略３．５ｍｍ以上に形成した後に施術している。
【００２３】
また、屈折異常が多いほど角膜実質から切除されるレンチキュールの厚さがより厚くなるによって、切開部の横方向の長さを２ｍｍ以下で作った後、分離道具を動きながら角膜実質からレンチキュール分離しても、切開トンネルと切開入口を通じて引き出されるレンチキュールのサイズにより切開入口と切開トンネル内部の長手方向の両側面は仕方なく再破裂される。
【００２４】
しかし、切開入口と切開トンネルの横方向の長さは、短く形成することにより感染の危険から保護することができ、治療時間の短縮及び組職の安定化に好ましいため、切開入口と切開トンネルの横方向の長さを略２ｍｍ以下のサイズで作りつつ切開入口と切開トンネル内部の長手方向の両側面が容易に破れる現象を防止することができる方法が切実に要求されているのが実情である。
【発明の概要】
【発明が解決しようとする課題】
【００２５】
本発明は、前述した問題を解決するために案出されたもので、角膜内部で切除されたレンチキュールの除去のために角膜に形成される切開部のサイズを最小化しつつ切開部の両側面の破裂を効果的に防止するようにした視力矯正手術によって切除されたレンチキュールの除去のために角膜に形成される補強部を有した切開部構造を提供することを目的とする。
【００２６】
本発明が解決しようとする技術的課題は、以上で言及した技術的課題に制限されず、言及しなかったまた他の技術的課題は、下の記載から本発明が属する技術分野において通常の知識を有した者にとって明確に理解されるべきである。
【課題を解決するための手段】
【００２７】
好ましい一実施例に係る本発明は、レーザービームが焦点位置を立体的に変位させながら角膜の中心側に、または中心から外側に稠密な螺旋を描きながら連続された螺旋形の切開ラインを有するフラップ面とレンチキュール面を角膜実質の内部で離隔させて形成し、レンチキュール面の外周をフラップ面の外周より内側で交差させて角膜実質からレンチキュールを立体状に切除し、切除されたレンチキュールを角膜に形成される切開部を通じて外部に排出させて屈折異常を矯正する視力矯正手術において、切開部は、フラップ面の外周と近接する角膜表面にレーザービームを通じて形成される切開入口、及び切開入口から角膜実質に向いて延長され、先端部がフラップ面に連結される切開トンネルを含み、フラップ面のいずれか一側の切開ラインの線上に切開トンネルの先端部が連結され、切開ラインの線上で切開トンネルの長手方向と対向した外面には、レーザービームが照射されない領域である補強部が対称を成して形成される。
【００２８】
より好ましくは、切開入口と切開トンネルの横方向の切開長さは、０．５ｍｍ〜２ｍｍ以下に形成される。
【００２９】
より好ましくは、補強部の突出部の間の長さは、前記切開トンネルの先端部の長さと同一であるかまたはそれより長く構成される。
【００３０】
より好ましくは、切開トンネルの先端部は、フラップ面の外周に位置した切開ラインと連結して構成される。
【００３１】
より好ましくは、切開トンネルの先端部は、フラップ面の外周で中心に向いて内側に位置する切開ラインと連結して構成される。
【００３２】
より好ましくは、切開入口は、フラップ面の外周で垂直線上と接する角膜表面に形成される。
【００３３】
より好ましくは、切開入口は、フラップ面の外周で鋭角または鈍角線上と接する角膜表面に形成される。
【００３４】
より好ましくは、補強部は、半円形又は半楕円形で構成される。
【００３５】
より好ましくは、補強部は、円形又は楕円形で構成される。
【００３６】
より好ましくは、補強部には、先端部に向いて一部が突出される突出部が形成される。
【００３７】
より好ましくは、切開部は、フラップ面の外周と近接する角膜表面でフラップ面の中心部を基準として両側に複数で形成される。
【発明の効果】
【００３８】
本発明は、フェムトセカンドレーザーを用いて角膜の表面内側の角膜実質の一部を３次元で切除して屈折異常を矯正する手術であるスマイル手術において、角膜実質の内部で切除された角膜実質片であるレンチキュールを角膜の外部に除去するため、角膜に形成される切開部を最小長さで切開しつつ切開部の内部の長手方向両の側面が容易に破れないように構成することによって、過多な切開部の長さによる角膜の感染危険性を減少させ、治療時間を短縮させ、且つ組職を安定化させる効果を有する。
【００３９】
また、このように記載された本発明の効果は、発明者が認知するか否かに関係なく記載された内容の構成により当然発揮されるものであって、上述した効果は、記載された内容による一部の効果に過ぎず、発明者が把握したまたは実在するすべての効果を記載したものと認められてはいけない。
【００４０】
また、本発明の効果は、明細書の全体的な記載によって追加に把握すべきであり、明示的な文章で記載されなくても、記載された内容が属する技術分野において通常の知識を有した者が本明細書を通じてそのような効果があると認めることができる効果であれば、本明細書に記載された効果であると見なすべきである。
【図面の簡単な説明】
【００４１】
【図１ａ】図１ａは、本発明の一実施例に係るレンチキュールと補強部を有する切開部を例示した眼球角膜の平面図である。
【図１ｂ】図１ｂは、図１ａの断面図である。
【図２ａ】図２ａは、本発明の他の実施例に係るレンチキュールと補強部を有する切開部を例示した眼球角膜の平面図である。
【図２ｂ】図２ｂは、図２ａの断面図である。
【図３】図３は、本発明のまた他の実施例に係るレンチキュールと補強部を有する切開部を例示した眼球角膜の平面図である。
【図４】図４は、本発明のまた他の実施例に係るレンチキュールと補強部を有する切開部を例示した眼球角膜の平面図である。
【図５ａ】図５ａは、本発明の一実施例に係るレンチキュールのフラップ面とレンチキュール面を分離道具を用いて角膜実質から分離する過程を例示した平面図である。
【図５ｂ】図５ｂは、本発明の他の実施例に係るレンチキュールのフラップ面とレンチキュール面を分離道具を用いて角膜実質から分離する過程を例示した平面図である。
【発明を実施するための形態】
【００４２】
以下、本発明の好ましい実施例を添付の図面を参照して詳しく説明する。
【００４３】
以下の内容は、本発明が属する技術分野において通常の知識を有した者が本発明の内容を容易に実施可能である程度に詳細に説明するためのもので、これにより本発明の技術的な思想及び範疇が限定されることを意味するものではない。
【００４４】
また、図示された構成要素のサイズや形状などは、説明の明瞭性と便宜上誇張して図示されることがあり、本発明の構成及び作用を考慮して特別に定義された用語は、使用者、運用者の意図または慣例によって変わることがあり、このような用語に対する定義は、本明細書の全般的な内容を土台で定義すべきである。
【００４５】
まず、本発明による視力矯正手術によって角膜実質の内部で切除されたレンチキュールを除去するために角膜に形成される切開部の構成は、大きく角膜表面に形成される切開入口と、その切開入口からレンチキュールが位置した角膜実質の内部に延長形成されて先端部がフラップ面と連結される切開トンネルと、に区分され、以下、例示された図面を通じて具体的に説明する。
【００４６】
本発明に係る切開部の説明の前に説明すると、フェムトセカンドレーザーは、パルス型レーザービームが角膜組職に照射されると、角膜組職が気体プラズマに変わりながら極度に微細な気泡が作られ、それの連続的な過程を通じて角膜組職を正確に希望する分ほど切除することがその原理である。このようなフェムトセカンドレーザーを用いてレーザービームが角膜表面を透過して矯正量ほどの角膜実質片であるレンチキュールを切除して分離することで、遠眼、乱視、近眼、老眼または混合乱視などの不完全な視力を矯正する手術をスマイル（ＳＭａｌｌ  Ｉｎｃｉｓｉｏｎ  Ｌｅｎｔｉｃｕｌｅ  Ｅｘｔｒａｃｔｉｏｎ）手術と言う。
【００４７】
また、類似である効果を奏する他のレーザーや同じレーザーを他の会社で用いるか、名称が異なっても同じ類型の手術と見なす。
【００４８】
前述したレーザービームは、それぞれのスポットが角膜実質内に光学貫通部を生成することができ、このような貫通は、プラズマバブルを作るようになり、その結果、角膜実質から角膜実質片であるレンチキュールを分離させる。
【００４９】
レンチキュールを切除するためにレーザービームの焦点は、上皮組職及びボーマン膜の下部、そしてデスメ膜及び内皮組職の上部に位置する領域から角膜内の標的点に向いて案内される。それのために、フェムトセカンドレーザーは、角膜内でレーザービームの焦点位置を変えるための器具を有し、このような器具に対する具体的な説明は省略する。
【００５０】
図１ａ、図１ｂと、図２ａ、図２ｂと、図３及び図４に示したように、レーザービームは、焦点位置を変位させながら角膜１００の中心にまたは中心から外側に向いて螺旋状で角膜実質１５０内に照射されて上側の角膜実質１５０から分離できる上側分離面であるフラップ面１１０と、前記フラップ面１１０と同一の中心点を有しながら下側の角膜実質１５０から分離できる下側分離面であるレンチキュール面１２０と、が上下に離隔形成される。この時、フラップ面１１０は、レンチキュール面１２０より大きく形成され、レンチキュール面１２０の外周がフラップ面１１０の外周から中心に向くいずれか一地点で交差しながら角膜実質１５０からレンズ状を有する立体形態のレンチキュール１３０が切除される。
【００５１】
ここで、レンチキュール面１２０の外周は、フラップ面１１０の外周から中心に向くいずれか一地点と交差せず離隔された状態に形成してもよく、この時、レンチキュール面１２０の外周とフラップ面１１０の外周から中心に向くいずれか一地点は、焦点の位置を変化させたレーザービームの照射による別途の切開面（図示せず）を通じて連結されて角膜実質１５０からレンズ状ではない他の立体形態のレンチキュールを切除してもよい。
【００５２】
このように、角膜実質１５０の内部でレンチキュール１３０が切除されると、切除されたレンチキュール１３０は、角膜１００の外部に引き出されて除去される。
【００５３】
この時、レンチキュール１３０を角膜の外部に引き出すためにレンチキュール１３０を角膜実質１５０から完全に分離させる分離道具２００や完全に分離されたレンチキュール１３０を角膜１００の外部に引き出す取る道具が出入できるように、切開入口１４１と切開トンネル１４２からなる切開部１４０が角膜１００に形成される。
【００５４】
切開部１４０を構成する切開入口１４１と切開トンネル１４２に対して図１ａ、図１ｂ、図２ａ、図２ｂ、図３、図４を通じて説明する。
【００５５】
まず、切開入口１４１は、フェムトセカンドレーザーを用いたレーザービームを角膜１００の表面に湾曲して横方向に照射して形成され、通常、横方向の長さは、略２ｍｍ〜４ｍｍの長さで構成され、縦方向の幅は、略０．１１ｍｍ前後の長さで構成される。
【００５６】
ここで、切開入口１４１の横方向の長さは、後述する補強部１１１が備えられると、略０．５ｍｍ〜２ｍｍ以下で構成してもよい。
【００５７】
切開入口１４１の位置は、一例で、角膜実質１５０の内部に形成されるフラップ面１１０の外周から上側に向く垂直線上と接する角膜１００の表面に形成されてもよい。
【００５８】
切開入口１４１の位置は、他の例で、角膜実質１５０の内部に形成されるフラップ面１１０の外周から上側に向いて鋭角線上または鈍角線上と接する角膜１００の表面に形成されてもよい。
【００５９】
切開入口１４１は、フラップ面１１０の中心を基準として上下左右はもちろん放射状で多様な位置に形成することができ、手術者の手術方向や眼球固定装置の位置によってその位置は可変できる。
【００６０】
切開入口１４１は、フラップ面１１０の中心を基準として上下左右はもちろん放射状で多様な位置に複数個で形成されてもよい。
【００６１】
切開トンネル１４２は、前述した切開入口１４１から角膜実質１５０の内部のレンチキュール１３０に向いて延長形成される通路として、前述した切開入口１４１と前記切開トンネル１４２を通じて分離道具２００又は取る道具が挿入してレンチキュール１３０を角膜実質１５０から完全に分離させ、分離されたレンチキュール１３０は、取る道具を用いて切開トンネル１４２と切開入口１４１を通じて外部に引き出して除去する。
【００６２】
切開トンネル１４２は、前述した切開入口１４１をレーザービームを照射して角膜１００の表面に形成する過程で、所定の深さを有しつつレンチキュール１３０が位置した角膜実質１５０の内部までレーザービームを照射して形成され、好ましくは、角膜実質１５０の内部に向く切開トンネル１４２の先端部１４３は、フラップ面１１０と連結される。
【００６３】
切開トンネル１４２は、切開入口１４２が形成された後、切開入口１４２を通じてレンチキュール１３０が位置する角膜実質１５０に挿入される切開道具により作ることで切開トンネル１４２の先端部１４３がフラップ面１１０と連結されてもよい。
【００６４】
切開トンネル１４２は、前述した切開入口１４１の横方向の長さと相応する長さを有し、縦方向の幅も前述した切開入口１４１の縦方向の幅と相応する長さを有する。
【００６５】
切開トンネル１４２の先端部１４３とフラップ面１１０の連結において、切開トンネル１４２の先端部１４３は、図１ｂに示したように、フラップ面１１０の外周に連結してもよく、必要に応じて、先端部１４３は、図２ｂに示したように、フラップ面１１０の外周から中心に向く内側のいずれか一地点に連結してもよい。
【００６６】
したがって、切開トンネル１４２は、その先端部１４３の位置と前記切開入口１４１の位置によって多様に変形できる。
【００６７】
すなわち、切開トンネル１４２の先端部１４３は、フラップ面１１０の外周に連結し、切開入口１４１は、フラップ面１１０の外周から垂直線上と接する角膜１００の表面に形成することで切開部１４０を作ることができる。
【００６８】
また、切開トンネル１４２の先端部１４３は、フラップ面１１０の外周に連結し、切開入口１４１は、フラップ面１１０の外周で鋭角または鈍角線上と接する角膜１００の表面に形成することで切開部１４０を作ってもよい。
【００６９】
また、切開トンネル１４２の先端部１４３は、フラップ面１１０の外周から中心部に向く内側のいずれか一つの部位に連結し、切開入口１４１は、フラップ面１１０の外周から垂直線上と接する角膜１００の表面に形成することで切開部１４０を作ってもいい。
【００７０】
また、切開トンネルの先端部１４３は、フラップ面１１０の外周から中心部に向く内側のいずれか一つの部位に連結し、切開入口１４１は、フラップ面１１０の外周で鋭角線上または鈍角線上と接する角膜１００の表面に形成することで切開部１４０を作ってもよい。
【００７１】
一方、フラップ面１１０は、前述したように、角膜１００の中心から始まるレーザービームのスポットが稠密な螺旋を描きながら外側に連続形成されることによって、連続された複数のスポットからなる稠密な螺旋は切開ラインになり、このような切開ラインによって角膜実質１５０からフラップ面１１０を切開することができる。
【００７２】
したがって、切開トンネル１４２の先端部１４３がフラップ面１１０の外周に連結されることは、先端部１４３がフラップ面１１０の外周を形成している最後の切開ライン部位に位置して互いに連結されることを意味し、切開トンネル１４２の先端部１４３がフラップ面１１０の外周から中心に向く内側のいずれか一地点に連結されることは、先端部１４３がフラップ面１１０の外周から中心に向く内側に位置したいずれか一つの切開ライン部位に位置して互いに連結されることを意味する。
【００７３】
ここで、角膜実質１５０とレンチキュール１３０の上部分離面になるフラップ面１１０及び角膜実質１５０とレンチキュール１３０の下部分離面になるレンチキュール面１２０は、スポット形状のレーザービームのスポットが稠密な螺旋を描きながら照射されて角膜実質１５０から立体形態のレンチキュール１３０が切開されるが、レーザービームのスポットとスポットとの間の領域であるティッシュブリッジにより角膜実質１５０からレンチキュール１３０は完全に分離されない状態になる。
【００７４】
したがって、図５ａ及び図５ｂに示したように、前述した切開入口１４１と切開トンネル１４２を通じて針のような分離道具２００を挿入した後、分離道具２００がレンチキュール面１２０を全体的に通過し、フラップ面１１０も全体的に通過するようにして、通過する分離道具２００により前述したティッシュブリッジを切断することで、角膜実質１５０からレンチキュール１３０を完全に分離させることができ、以後、分離道具２００を抜き出して、切開入口１４１と切開トンネル１４２を通じてピンセットのような取る道具を挿入した後、角膜実質１５０から完全分離されたレンチキュール１３０を切開トンネル１４２と切開入口１４１を通じて外部に引き出して除去する。
【００７５】
この時、切開入口１４１と切開トンネル１４２に挿入された分離道具２００がレンチキュール面１２０とフラップ面１１０に沿って左右移動しながらティッシュブリッジを切断する過程で、分離道具２００の動きによる外力が切開入口１４１及び切開トンネル１４２の長手方向の内側面に加えられる。
【００７６】
このように分離道具２００の動きによって切開入口１４１と切開トンネル１４２の内部の長手方向の両側面に外力が加えられると、切開トンネル１４２の場合、先端部１４３がレーザービームにより螺旋状の連続されたスポットからなる切開ライン部位に位置するようになって、切開トンネル１４２の内部の長手方向の両側面に加えられる外力に対して構造的に抵抗することが不可能になることで、分離道具２００が切開トンネル１４２の内部の内側面を通過して切開ラインに沿って容易に移動されて、結局、切開トンネル１４２の内部の長手方向の両側面が破れる。これは切開入口１４１の内部の長手方向の両側面にも影響を与えて、結局、切開入口１４１も一緒に破れる結果をもたらす。
【００７７】
このような切開入口１４１と切開トンネル１４２が破れると、外部感染に容易に露出され、治療時間が長くなり、組職の安定化を妨害する原因になる。
【００７８】
本発明は、このような切開入口１４１と切開トンネル１４２の内部の長手方向の両側面が分離道具２００により容易に破れることを防止するために、切開トンネル１４２の先端部１４３の両側に位置する切開ライン部位に切開されない状態を有する補強部１１１を備えたことが重要な特徴である。
【００７９】
このような補強部１１１を形成するためには、レーザービームによる稠密な螺旋状の切開ラインでフラップ面１１０を作る時、切開トンネル１４２の先端部１４３と連結される切開ラインの線上で切開トンネル１４２の先端部１４３と対向する両側にレーザービームが照射されない所定形状の非照射領域部を形成した。
【００８０】
したがって、切開入口１４１と切開トンネル１４２を通じて挿入される分離道具２００が左右に回転する時、切開トンネル１４２の内部の長手方向の両側面に分離道具２００による外力が加えられても補強部１１１がその外力に充分に抵抗するようになって切開トンネル１４２の内部の長手方向の両側面が容易に破れることを防止することができる。
【００８１】
このような補強部１１１は、フラップ面１１０を形成するためにレーザービームがスポット形態で稠密な螺旋を描きながら照射される時、作ろうとする補強部１１１の形状と相応する領域では、レーザービームが照射されないようにフェムトセカンドレーザーのレーザービームの照射及び非照射と係わるプログラムを変形させて構成することができ、このようなプログラムの多様な応用を通じて補強部１１１の形状を多様に変形させることができる。
【００８２】
または、レーザービームにより作られる切開トンネル１４２の先端部の両側に位置する切開ラインの線上に、レーザービームが角膜実質に照射されないように補強部１１１形状を有するレーザービーム遮断部材を位置させる方法を使用してもい。
【００８３】
このような補強部１１１による切開トンネル１４２の内部の長手方向の両側面の破れ防止は、結局、切開入口１４１の内部の長手方向の両側面の破れを一緒に防止することができる。これによって、切開入口１４１と切開トンネル１４２の横方向の長さを略０．５ｍｍ〜２ｍｍ未満で最小化して切開することができる。
【００８４】
一方、補強部１１１は、切開トンネル１４２の先端部１４３が位置するようになるフラップ面１１０の切開ラインの線上から先端部１４３の対向された両側の外側にそれぞれ形成されるものである。図１ａのように、切開トンネル１４２の先端部１４３がフラップ面１１０で外周に位置する最後の切開ラインの線上に位置する場合には、切開トンネル１４２の先端部１４３を中心として対向された両側に対称をなして補強部１１１が形成される。この時、補強部１１１の形状は、略半円形又は半楕円形に形成してもよく、不規則な非円形に形成してもよく、半円錐形、半水玉形など多様に変形実施してもよい。
【００８５】
好ましくは、図３に示したように、先端部１４３に近接する補強部１１１の一部分が先端部１４３に向いて突出される突出部１１２を形成する。突出部１１２は、切開トンネル１４２の通路に干渉しないように構成することができる。
【００８６】
また、切開トンネル１４２の先端部１４３がフラップ面１１０で外周より内側に位置する切開ラインの線上に位置する場合にも、補強部１１１の形状は、略円形または楕円形に形成することができ、不規則な非円形の形態はもちろん円錐形、水玉形など多様に変形実施することができる。また、好ましくは、図４に示したように、先端部１４３に近接する補強部１１１の一部分が先端部１４３に向いて突出される突出部１１２を形成する。突出部１１２は、切開トンネル１４２の通路に干渉しないように構成することができる。
【００８７】
このように補強部１１１が備われる切開部１４０を用いたスマイル手術の重要過程を簡略に説明すると、次の通りである。
【００８８】
まず、部分痲酔された被施術者をフェムトセカンドレーザーが設置されたベッドに寝かせた後、瞳孔中心線と視軸の誤差を考慮して３重セントレーションをする。
【００８９】
ここで、セントレーションは、角膜の中心に合わせて手術を進行する技法として、手術の正確度を高め、光のにじみや眩しさ、複視の視力低下を防止することができる。
【００９０】
３重セントレーションは、瞳孔中心線と視軸の誤差を考慮して手術用マーキングペンでセントレーションを決める段階と、マーキングした部分とフェムトセカンドレーザーの中心を合わせる段階、及びマーキングした部分の中心に合わせてフェムトセカンドレーザーのレーザービームを照射する段階を含むことができる。
【００９１】
３重セントレーションが完了した後には、被施術者の角膜矯正量によってプログラム化されているフェムトセカンドレーザーからレーザービームが角膜１００に照射され、外側から角膜１００の中心に向いて螺旋を描きながら複数のスポットが連続的に形成されて角膜実質１５０から分離されるレンチキュール面１２０が先に形成される。
【００９２】
以後、図１ｂと図２ｂに示したように、フェムトセカンドレーザーのレーザービームは、焦点位置の変位を有するようになり、前述したレンチキュール面１２０の上側で焦点が形成され、角膜１００の中心から外側に向いて螺旋を描きながら複数のスポットが連続的に形成されて角膜実質１５０から分離されるフラップ面１１０が形成される。この時、フラップ面１１０のサイズは、図１ａと図１ｂに示したように、レンチキュール面１２０より大きく形成され、レンチキュール面１２０の外周は、フラップ面１１０の外周より内側で交差しながら、図１ｂと図２ｂに示したように、角膜実質１５０から上下のフラップ面１１０とレンチキュール面１２０を有する立体形態のレンチキュール１３０が切除される。
【００９３】
ここで、レーザービームの照射によるフラップ面１１０を形成する過程で、補強部１１１が作られる部位、例えば、図３に示したように、切開部１４０の切開トンネル１４２がフラップ面１１０の外周に位置した切開ラインの線上に連結される場合、フラップ面１１０の外周に位置する切開ラインを形成するとき、切開トンネル１４２の先端部１４３の位置と作ろうとする補強部１１１の形状を考慮して、切開ラインの線上で先端部１４３の対向された外面と相応する部位にレーザービームが照射されない非照射領域である補強部１１１をそれぞれ形成する。
【００９４】
また、このようなレンチキュール１３０を角膜実質１５０から完全に分離させた後、角膜１００の外部に引き出すために、フラップ面１１０の外周と近接する角膜１００の表面には、湾曲された横方向の長さを有する切開入口１４１と、前記切開入口１４１と同一の横方向の長さを有しつつ補強部１１１の間のフラップ面１１０の切開ラインと連通する切開トンネル１４２が形成される。
【００９５】
このようにフラップ面１１０に補強部１１１が形成されると、切開入口１４１と切開トンネル１４２は略２ｍｍで作られても、分離道具２００の回転及び移動時に分離道具２００が補強部１１１の突出部１１２に触れるようになって切開トンネル１４２及び切開入口１４２の破れが防止される。この時、切開入口１４１及び切開トンネル１４２の間隔は、略２ｍｍに限定される必要はなく、分離道具２００が入ることができる最小の長さで作ってもよく、略０．５ｍｍ〜２ｍｍの間で構成することができる。
【００９６】
このように補強部１１１と切開トンネル１４２と切開入口１４１が作られた後には、切開入口１４１と切開トンネル１４２を通じて分離道具２００を入れた後、ティッシュブリッジにより完全に分離しないレンチキュール面１２０とフラップ面１１０を角膜実質１５０から完全に分離させる。その方法は、図５ａと図５ｂに示したように、分離道具２００を切開入口１４１と切開トンネル１４２を通じてフラップ面１１０の外周を形成している切開ラインに入れて、先にレンチキュール面１２０に沿って全体的に両方向回転させながらレンチキュール面１２０を角膜実質１５０から完全に分離させる。
【００９７】
この時、眼球固定装置なしに手術することで、出血、充血、痛症を最小化させることが好ましい。
【００９８】
そして、レンチキュール面１２０の分離作業を完了した後には、分離道具２００を切開入口１４１から完全に抜き出した後再び切開入口１４１に挿入してフラップ面１１０の分離作業を行うこともできるが、分離道具２００を切開入口１４１の外部に完全に抜き取らず切開トンネル１４２内から微細に持ち上げるスキルを通じてフラップ面１１０側にすぐ移動させた後、分離道具２００をフラップ面１１０に沿って全体的に両方向回転させながらフラップ面１１０を角膜実質１５０から完全に分離させる技術を使用すると、手術時間を最大限短縮させることができる。
【００９９】
ここで、レンチキュール面１２０とフラップ面１１０を角膜実質１５０から完全に分離するために、切開入口１４１と切開トンネル１４２に挿入した分離道具２００を両方向回転させて移動させる過程で、切開トンネル１４２の内部の長手方向の両側に分離道具２００の動きによる外力が加えられる時、分離道具２００が先に補強部１１１の突出部１１２に触れることで切開トンネル１４２の内部の長手方向の両側が破れることを防止することができる。これは、切開入口１４１の内部の長手方向の両側が破れる現象も防止することができる。
【０１００】
したがって、補強部１１１による切開トンネル１４２の内部の長手方向の両側の外力に対して強度が増加することによって、切開入口１４１と切開トンネル１４２の横方向の切開される長さを０．５ｍｍ〜２ｍｍで最小化しても分離道具２００による切開トンネル１４２と切開入口１４１の破れが防止でき、このように切開トンネル１４２と切開入口１４１の切開長さを最小化することで、不必要な外部感染の予防だけでなく手術時間の短縮と組職を安定化させることに有利である。
【０１０１】
このように分離道具２００を通じてレンチキュール１３０を角膜実質１５０から完全に分離した後には、取る道具を切開入口１４１と切開トンネル１４２を通じてレンチキュール１３０が位置した角膜実質１５０の内部に入れて分離されたレンチキュール１３０を取って切開入口１４１から抜き出して除去した後、切開入口１４１を通じて眼液を入れて分離道具を利用して浮遊物をなくして整理すればよい。
【０１０２】
以上記載された内容に詳細な説明では、本発明の具体的な実施例に関して説明したが、記載された内容の範疇から脱しない限り、さまざまな変形が可能であることは当業者にとって明白であろう。したがって、記載された内容の範囲は、説明された実施例に限定されず、後述する特許請求の範囲だけではなくこの請求範囲と均等なものなどによって決定されるべきである。
【産業上の利用可能性】
【０１０３】
本発明は、フェムトセカンドレーザーのレーザービームの立体的焦点変位を通じて角膜実質の内部にレンチキュール面とフラップ面からなるレンチキュールを切除し、このような切除されたレンチキュールを切開入口と切開トンネルで構成された切開部を通じて角膜の外部に除去する方法において、切開トンネルとフラップ面が連結される部位に補強部を形成し、このような補強部を通じて切開トンネルに挿入された分離道具の動きによる外力により切開トンネル及び切開入口が破れる現象を防止することで、切開トンネルと切開入口の横方向の切開長さを０．５ｍｍ〜２ｍｍで最小化して、外部要因による感染の危険性を減らし、手術の時間を短縮させて被施術者の負担を軽減し、組職の迅速な再生及び安定化を通じて手術の正確度と被施術者の満足度を高めることができるので、産業的に非常に有用である。
【図１ａ】
2018537206.tif 000003
【図１ｂ】
2018537206.tif 000004
【図２ａ】
2018537206.tif 000005
【図２ｂ】
2018537206.tif 000006
【図３】
2018537206.tif 000007
【図４】
2018537206.tif 000008
【図５ａ】
2018537206.tif 000009
【図５ｂ】
2018537206.tif 000010
【国際調査報告】
2018537206.tif 000011
2018537206.tif 000012
2018537206.tif 000013
2018537206.tif 000014